(57)【要約】      （修正有）【課題】その構成が安定で、それを使用して運搬する際に振動が小である上、それに乗せた医療器具を不意な衝撃から護ることもできる医療用ワゴンの提供を目的とする。【解決手段】キャスター付き底板から立ち上がっている支柱に沿って複数の載置板が上下順番に設置されている医療用ワゴンにおいて、支柱は、複数の載置板を左右から挟むようになっている二本の支柱と、該二本の支柱にはいずれもそれから一体的に延長して前記各載置板及び底板における少なくとも一つの少なくとも一部の周縁部となっている複数の枠体を有することを特徴とする。【選択図】図２
0003147601.tif 000002
【実用新案登録請求の範囲】
【請求項１】
キャスター付き底板から立ち上がっている支柱に沿って複数の載置板が上下に設置されている医療用ワゴンにおいて、
前記支柱は、前記複数の載置板を左右から挟むようになっている二本の支柱と、該二本の支柱にはいずれもそれから一体的に延長して前記各載置板及び前記底板の中で少なくとも一つの少なくとも一部の周縁部となっている複数の枠体とを有することを特徴とする医療用ワゴン。
【請求項２】
前記各載置板及び前記底板の中で少なくとも一つの少なくとも一部の周縁部となっている前記複数の枠体は、いずれも、その載置板または底板における前記周縁部以外の本体部より上に立ち上がって垣のようになっていることを特徴とする請求項１に記載の医療用ワゴン。
【請求項３】
前記各載置板の、前記二本の支柱からそれぞれ延長してその周縁部の一部となっている前記枠体がそれと相応する枠体と互いに連接して一体的になっていることを特徴とする請求項２に記載の医療用ワゴン。
【請求項４】
前記各載置板の、前記二本の支柱からそれぞれ延長してその周縁部の一部となっている枠体がそれと相応する枠体と互いに連接して一体的な環状となっていることを特徴とする請求項２に記載の医療用ワゴン。
【請求項５】
前記二本の支柱は、互いに平行する上、前記キャスター付き底板からワゴンの前方から後方へ斜めに立ち上がっていることを特徴とする請求項２に記載の医療用ワゴン。
【請求項６】
前記二本の支柱における上端が互いに連接し、ワゴン全体を後ろから押すためのハンドルとなっていることを特徴とする請求項５に記載の医療用ワゴン。
【請求項７】
前記複数の載置板における一番上の前記二本の支柱からそれぞれ延長してその周縁部の一部となっている枠体がそれと相応する枠体と互いに連接して開口環状となっており、且つ、前記開口環状の開口が、その環状の前方側にある上、前記周縁部以外の本体部より前方に突出して前記ワゴン全体を前から引っ張るための取っ手を構成していることを特徴とする請求項６に記載の医療用ワゴン。
【請求項８】
前記一番上の一つ以外のあらゆる載置板は、いずれも、その、前記二本の支柱からそれぞれ延長してその周縁部の一部となっている枠体に、当該枠体よりも高い手すりが設置されていることを特徴とする請求項７に記載の医療用ワゴン。
【請求項９】
前記複数の載置板の一番上の載置板に、通孔が複数形成されていることを特徴とする請求項７に記載の医療用ワゴン。
【請求項１０】
前記複数の載置板の一番上の載置板の本体部には、前記二本の支柱の間に仕切板が、また、前縁及び左右両側に前板及び左右二つの側板が設置されていることを特徴とする請求項１に記載の医療用ワゴン。
【考案の詳細な説明】
【技術分野】
【０００１】
本考案は、職場で使われるワゴンに関し、特に、病院等の医療機関で、医療器具や医療廃棄物、医療用電子機器などを載せて運ぶ医療用ワゴンに関する。
【背景技術】
【０００２】
従来より、ワゴンは職場で広く使われており、例えば、ホテルで、シートや布団、タオルなどを各客室に、また、レストランで、料理を厨房からテーブルへ運ぶ等のために使用されている。
【０００３】
さて、病院等の医療機関においては、入院患者の診察や治療をする際、看護士等の医療に携わる者（医療人員）は、医療用ワゴンで各種の医療器具を運ぶことが多い。注射針、注射器、そしてそれらが一度使用された後の医療廃棄物などのものをたくさん運搬する場合、ワゴンは便利である。
【０００４】
また、診察や治療用の電子機器も需要に応じて各患者のところに回す場合、例えば血液透析用の医療機器をワゴンで透析患者のベッドに運び、又は回診の時、ワゴンに載せたノートパソコンで複数の患者のデータを検索したり、症状をノートパソコンに記録したりする。このような電子機器を載せるワゴンは、ワゴン自体の安定性が特に求められる。
【０００５】
従来の医療用ワゴン、例えば、台湾特許公告第４７１３１１号に記載された医療用ワゴン１は、図１に示すように、キャスター付き底板１６と、その上に上下に配置されている複数の載置板１１，１２，１３と、複数の載置板１１，１２，１３をそれぞれ一つの側の後側から保持している支柱１４とからなっていて、複数の載置板１１，１２，１３の上に医療用の電子機器や医療器具を載せて運ぶことができる。
【０００６】
しかし、医療用ワゴン１は、複数の載置板１１，１２，１３を一つの側だけから保持しているので、個別の載置板だけでなく、ワゴン全体の構成も不安定になり、運搬する際に生じた振動や不意な衝撃により電子機器の故障や医療器具の落下をもたらす虞れがある。
【特許文献１】台湾特許公告第４７１３１１号
【考案の開示】
【考案が解決しようとする課題】
【０００７】
上記問題点を解決すべく、本考案は、その構成が安定で、それを使用して運搬する際に振動が小である上、それに乗せた医療器具を不意な衝撃から護ることもできる医療用ワゴンを提供することを目的とする。
【課題を解決するための手段】
【０００８】
上記目的を達成するために、本考案は、キャスター付き底板から立ち上がっている支柱に沿って複数の載置板が上下に設置されている医療用ワゴンにおいて、前記支柱は、前記複数の載置板を左右から挟むようになっている二本の支柱と、該二本の支柱にはいずれもそれから一体的に延長して前記各載置板及び前記底板の中で少なくとも一つの少なくとも一部の周縁部となっている複数の枠体とを有することを特徴とする医療用ワゴンを提供する。
【０００９】
前記各載置板及び前記底板の中で少なくとも一つの少なくとも一部の周縁部となっている前記複数の枠体は、いずれも、その載置板または底板における前記周縁部以外の本体部より上に立ち上がって垣のようになっているものが好ましい。
【００１０】
また、前記二本の支柱は、互いに平行する上、前記キャスター付き底板からワゴンの前方から後方へ斜めに立ち上がっているのが好ましい。
【考案の効果】
【００１１】
上記構成による医療用ワゴンは、まず、その支柱が複数の載置板を両側から挟んでいる二本ある上、複数の載置板及び底板をそれぞれ周縁から保持している複数の枠体とも一体的になっているので、ワゴン全体は、丈夫な構成になっており、各載置板に載せたものを、運搬による振動や不意な衝撃から護ることができ、特に、前記のように、枠体が垣のような、分厚いもの、特に、各枠体が相応の枠体と共に環状と連接している場合、ワゴン全体の構成はもっと丈夫になる。
【００１２】
また、その二本の支柱が、互いに平行する上、キャスター付き底板からワゴンの前方から後方へ斜めに立ち上がっている場合、ワゴン全体の構成は安定して更に丈夫になる。
【考案を実施するための最良の形態】
【００１３】
以下、図２〜図５に示す医療用ワゴンを例として本考案の医療用ワゴンを説明する。
図２及び図３に示すのは、本考案の実施形態による医療用ワゴンを前後両方からそれぞれ斜めにみた斜視図であり、図４に示すのは、その側面図であり、図５に示すのは、その正面図である。尚、前後は医療用ワゴンを運搬する方向を前方向と定義する。
【００１４】
図示のように、医療用ワゴンは、キャスター付き底板２１と、底板２１から立ち上がっている二本の支柱３１１，３１２と、支柱３１１，３１２に沿って上下に設置されている中載置板２２と上載置板２３とからなっている。
【００１５】
図面をもっと詳しく見ると、支柱３１１と支柱３１２とは、底板２１、並びに複数の載置板、例えば、中載置板２２及び上載置板２３をそれぞれ左右から挟むようになっており、また、それらと底板２１、中載置板２２及び上載置板２３のそれぞれとの接着部分から枠体３１，３２，３３が延伸してなる上、相応の底板２１、載置板２２，２３の周縁部の少なくとも一部にもなっている。即ち、底板２１、中載置板２２及び上載置板２３は、いずれも、物を載置する本体部２１１，２２１，２３１とその周縁部の枠体３１，３２，３３とからなっていると見なされる。
【００１６】
もっと詳しく説明すると、底板２１、中載置板２２及び上載置板２３それぞれの周縁部になっている枠体３１，３２，３３は、いずれもそれと相応する枠体３１，３２，３３と互いに連接して一体的になっているが、底板２１及び中載置板２２それぞれの周縁部になっている枠体３１，３２は、それと相応する枠体３１，３２と一体的な環状となっており、上載置板２３の周縁部になっている枠体３３は、それと相応する枠体３３と開口環状となっており、且つ、前記開口環状の開口３３０が、その環状の前方側にある上、上載置板２３の前記周縁部以外の本体部２３１より前方に突出してワゴン全体を前から引っ張るための取っ手３３１を形成する。
【００１７】
即ち、支柱３１１と支柱３１２とあらゆる枠体３１，３２，３３とは、一体になり、ワゴン全体の構造体になっているので、ワゴンは従来の構造よりも遥かに丈夫になっている。
【００１８】
また、図示のように、いずれの枠体３１，３２，３３も、その板体、即ち、底板２１、中載置板２２または上載置板２３の本体部２１１，２２１，２３１よりも上に立ち上がって垣のようになっているので、厚くなっており、また、支柱３１１，３１２における上端が互いに連接し、ワゴン全体を後ろから押すためのハンドル３４となっているので、ワゴン全体の構造がもっと丈夫になっている。
【００１９】
従って、このワゴンは堅固であり、それを使用して運搬する際に振動が小である上、それに載せた医療器具を不意な衝撃から護ることもできる。
【００２０】
そして、図面をもっと詳しくみると、この実施形態では、支柱３１１，３１２は、互いに平行する上、底板２１からワゴンの前方から後方へ斜めに立ち上がっているので、ワゴン全体の重心が低くなり、ワゴンが安定となっている。
【００２１】
なお、上載置板２３における本体部２３１には、支柱３１１，３１２の間に仕切り板２３２が設置されており、また、前縁に前板２３３が設置されている。そして、図示のように、本体部２３１の、仕切り板２３２と前板２３３とに区切られてなった部分には、本体部２３１の上下面を貫通する通孔２３４が複数形成されており、その両側に左右二つの側板２３５が設置されている。
【００２２】
このような構成によると、ノートパソコンなどの電子機器は、上載置板２３に載せられて使用される場合、仕切り板２３２と、前板２３３と、左右二つの側板２３５とに囲まれて保護されるので、従来の医療用ワゴンよりもかなり安全であり、且つ、長時間使用されても、通孔２３４を通して熱をよく放散できるから、高熱による故障の心配はない。
【００２３】
そして、図示のように、この実施形態では、その底板２１の前半部に医療用品を置くための窪み２１２が形成されており、後半部に二つのゴミ箱２１３が設置されている。このゴミ箱２１３は、図示のように、大きくて高いので、枠体３１に保持固定され、底板２１の周縁に沿って割合に高い手すり３００が設置されている。
【００２４】
それよりもやや低いが、中載置板２２にも、中載置板２２の上に載せた医療器具の落下を避けるために、枠体３２に保持固定され、中載置板２２の周縁に沿って手すり３００が設置されており、この手すり３００はもちろん枠体３２よりもある程度高くなっている。なお、上載置板２３にも、手すり３００が枠体３３に保持固定され、設置されているが、支柱３１１から後ろ側に回って他の支柱３１２に至るまでの後側だけを囲んでいるので、前方からの電子機器への操作に邪魔にならない。
【００２５】
そして、図示のように、ワゴンの右側に物置箱４１が設けられている。物置箱４１は、使用後の注射針、注射器などの医療廃棄物（図示せず）を置くものであるので、医療廃棄物を入れられやすいため、及び、ワゴンに載せる他の医療器具を汚染しないため、その開口４１１が外側にある上、やや斜め上に向くように設置形成されている（図３及び図５参照）。それは、図示のように、箱体の上部にある天板４１２が、内側に向けて低く傾斜し、その外側が内側よりやや高めになっているのが原因である。
【００２６】
最後に、支柱３１１，３１２には、医療用の簡単な小物やボールペン、ノートブックなどを掛けるための留め具４２が複数設けられている。これは、ワゴン全体のスペースを有効に利用するためのレイアウトである。
【００２７】
本考案の実施形態によれば、医療用ワゴンを、その底板から互いに平行に前方から後方へ斜めに立ち上がっている支柱が上端で互いに連接している二本から成り、且つ、載置板などを保持している枠体が載置板の周縁ともなって垣のように分厚いものである上、前記二本の支柱と一体的になって、安定且つ丈夫なものに構成することができるので、各載置板に載せたものを、運搬による振動や不意の衝撃から護ることができ、産業上の利用可能性がかなり大である。
【図面の簡単な説明】
【００２８】
【図１】従来例における医療用ワゴンの斜視図である。
【図２】本考案の実施形態例の医療用ワゴンの前から斜めにみた斜視図である。
【図３】前記医療用ワゴンの後から斜めにみた斜視図である。
【図４】前記医療用ワゴンの側面図である。
【図５】前記医療用ワゴンの正面図である。
【符号の説明】
【００２９】
２１  底板
２１１  本体部
２１２  窪み
２１３  ゴミ箱
２２    中載板
２２１  本体部
２３    上載板
２３１    本体部
２３２    仕切り板
２３３    前板
２３４    通孔
２３５    側板
３００    手すり
３１      枠体
３１１    支柱
３１２    支柱
３２      枠体
３３      枠体
３３０    開口
３３１    取っ手
３４      ハンドル
４１      物置箱
４１１    開口
４１２    天板
４２      留め具
【図１】
0003147601.tif 000003
【図２】
0003147601.tif 000004
【図３】
0003147601.tif 000005
【図４】
0003147601.tif 000006
【図５】
0003147601.tif 000007